(57)【要約】【課題】縦フレームをアンカーボルトにより建物側の取付面に取り付ける際に、縦フレームの変形を防止すると共に、その固定作業が容易な空気調和機用室外機の据付台を提供する。【解決手段】縦フレーム１２は、その全体が押し出し成形により一体に成形されるブロック状の縦フレーム本体２０を有している。該縦フレーム本体２０は、上側スペーサ部２１と、横フレーム１３を支持する部位となる支持部２２と、下側スペーサ部２３とで構成されている。上側スペーサ部２１及び下側スペーサ部２３には、縦フレーム１２を取付面１１に締め付け固定するためのアンカーボルト１４，１５が挿入されるボルト挿入孔２５，２６がそれぞれ貫通形成されている。これにより、各スペーサ部２１，２３はアンカーボルト１４，１５の締め付け応力に対処し得る剛性を有するため、縦フレーム１２の変形が防止される。【選択図】      図２
2006145164.tif 000002
【特許請求の範囲】
【請求項１】
建物側の取付面に沿って配置固定されるアルミニウム又はアルミニウム合金からなる縦フレームと、当該縦フレームから水平方向へ片持ち支持された状態において空気調和機用室外機を載置可能とする横フレームとを備えた空気調和機用室外機の据付台において、
前記縦フレームは、ブロック状をなす縦フレーム本体を有し、当該縦フレーム本体が、前記縦フレームを前記取付面に締め付け固定するためのアンカーボルトが挿入されるボルト挿入孔を貫通形成したスペーサ部と、前記横フレームを支持する部位となる支持部とを含んだ構成とされている空気調和機用室外機の据付台。
【請求項２】
前記縦フレーム本体は、前記ボルト挿入孔の貫通方向と直交する水平方向における断面形状が一定である請求項１に記載の空気調和機用室外機の据付台。
【請求項３】
前記縦フレーム本体の支持部には、前記横フレームを前記縦フレームに締め付け固定するための固定ねじが挿入されるねじ挿入孔を前記ボルト挿入孔の貫通方向と直交する水平方向へ貫通形成した請求項１又は請求項２に記載の空気調和機用室外機の据付台。
【請求項４】
前記縦フレーム本体の支持部は、前記縦フレームを前記取付面に沿って配置した場合に当該取付面とは反対側となる側に凸部を有しており、当該凸部に前記ねじ挿入孔を貫通形成している請求項３に記載の空気調和機用室外機の据付台。
【請求項５】
前記凸部には、前記ねじ挿入孔を縦フレーム本体に沿う縦方向の複数箇所に離間形成し、各ねじ挿入孔の形成位置の間に肉取部を形成した請求項４に記載の空気調和機用室外機の据付台。
【請求項６】
前記縦フレーム本体の支持部は、前記縦フレームを前記取付面に沿って配置した場合に当該取付面と対向する側に肉取凹部を有している請求項１〜請求項５のうちいずれか１項に記載の空気調和機用室外機の据付台。
【発明の詳細な説明】
【技術分野】
【０００１】
本発明は、空気調和機用室外機の据付台に関し、特に建物の壁やコンクリート基礎部に直接固定されるタイプの据付台に関する。
【背景技術】
【０００２】
空気調和機用室外機は、屋外に設置される際には、通常、所定の据付台に載置される。従来、こうした据付台には、例えば、家屋の壁やコンクリート基礎部等の鉛直な取付面に沿って取り付けられるタイプのものが知られている（特許文献１参照）。
【０００３】
このタイプの据付台は、アンカーボルトによって取付面に沿って取り付けられる垂直な縦フレームと、この縦フレームに対して固定ねじにより取付面と直角な方向（水平方向）に突出して設けられる横フレームとを有して構成されている。縦フレームは、断面略コ字形状であって、取付面に対向配置される対向板部と、該対向板部から一体に曲げ形成され、取付面に当接する２つの側板部とを有している。そして、縦フレームと横フレームとで構成される据付台が、取付面に対して略同じ高さ位置となるように並列に一対取り付けられて、一対の横フレーム上に室外機が載置されるようになっている。
【０００４】
ところで、近時、軽量化及び美観等の要請から、この据付台（縦フレーム及び横フレーム）の材料には軽金属であるアルミニウムが用いられている。アルミニウムはスチール等の重金属と比較するとその剛性が低いため、断面略コ字形状に形成された縦フレームの場合、アンカーボルトの締め付けによる応力集中を受けて、特にアンカーボルトが挿入される縦フレームのボルト挿入孔近傍が変形してしまう虞があった。これは、固定ねじの締め付けにおいても同様であって、この場合、横フレームの固定ねじ挿入孔近傍及び縦フレームの側板部が変形してしまうことがあった。
【０００５】
そこで、一般には、筒状のスリーブが、縦フレームと取付面との間（ここに配置されるスリーブを「ボルト挿通用スリーブ」という。）及び各側板部の間（ここに配置されるスリーブを「固定ねじ挿通用スリーブ」という。）にそれぞれ配置されるようになっている。
【０００６】
この構成によれば、アンカーボルトの締め付け応力はボルト挿通用スリーブによって分散され、同様に、固定ねじの締め付け応力は固定ねじ挿通用スリーブによって分散されるため、縦フレーム（横フレーム）が変形することを抑制できるとされていた。
【特許文献１】意匠登録第１０４８６５７号公報
【発明の開示】
【発明が解決しようとする課題】
【０００７】
しかしながら、上記構成においては、それぞれのアンカーボルト及び固定ねじに対してスリーブが必要であるため部材点数が増加し、縦フレームの固定作業が煩雑になるという問題があった。具体的には、上記構成では、横フレームを縦フレームに固定する際に、コ字形状に形成される縦フレームの内部（側板部と対向部に囲まれた部分）において、固定ねじが挿通する位置に固定ねじ挿通用スリーブを正確に位置決めして支持しなければならなかった。
【０００８】
また、縦フレームを取付面に固定する際には、縦フレームのボルト挿入孔にアンカーボルトを挿入させた状態で、ボルト挿入孔を貫通したアンカーボルトの外周部位にボルト挿通用スリーブを嵌め込むという手順をいちいち踏まなければならなかった。また、この際、アンカーボルトはその頭部がボルト挿入孔周縁の対向板部に係止しているのみであるため、非常に不安定であり、作業がやりにくかった。
【０００９】
本発明は、このような背景に基づきなされたものであって、その目的は、縦フレームをアンカーボルトにより建物側の取付面に取り付ける際に、縦フレームの変形を防止すると共に、その固定作業が容易な空気調和機用室外機の据付台を提供することにある。
【課題を解決するための手段】
【００１０】
上記目的を達成するために、空気調和機用室外機の据付台に係る請求項１に記載の発明は、建物側の取付面に沿って配置固定されるアルミニウム又はアルミニウム合金からなる縦フレームと、当該縦フレームから水平方向へ片持ち支持された状態において空気調和機用室外機を載置可能とする横フレームとを備えた空気調和機用室外機の据付台において、前記縦フレームは、ブロック状をなす縦フレーム本体を有し、当該縦フレーム本体が、前記縦フレームを前記取付面に締め付け固定するためのアンカーボルトが挿入されるボルト挿入孔を貫通形成したスペーサ部と、前記横フレームを支持する部位となる支持部とを含んだ構成とされていることを特徴とする。
【００１１】
請求項２に係る発明は、請求項１に記載の空気調和機用室外機の据付台において、前記縦フレーム本体は、前記ボルト挿入孔の貫通方向と直交する水平方向における断面形状が一定であることを特徴とする。
【００１２】
請求項３に係る発明は、請求項１又は請求項２に記載の空気調和機用室外機の据付台において、前記縦フレーム本体の支持部には、前記横フレームを前記縦フレームに締め付け固定するための固定ねじが挿入されるねじ挿入孔を前記ボルト挿入孔の貫通方向と直交する水平方向へ貫通形成したことを特徴とする。
【００１３】
請求項４に係る発明は、請求項３に記載の空気調和機用室外機の据付台において、前記縦フレーム本体の支持部は、前記縦フレームを前記取付面に沿って配置した場合に当該取付面とは反対側となる側に凸部を有しており、当該凸部に前記ねじ挿入孔を貫通形成していることを特徴とする。
【００１４】
請求項５に係る発明は、請求項４に記載の空気調和機用室外機の据付台において、前記凸部には、前記ねじ挿入孔を縦フレーム本体に沿う縦方向の複数箇所に離間形成し、各ねじ挿入孔の形成位置の間に肉取部を形成したことを特徴とする。
【００１５】
請求項６に係る発明は、請求項１〜請求項５のうちいずれか１項に記載の空気調和機用室外機の据付台において、前記縦フレーム本体の支持部は、前記縦フレームを前記取付面に沿って配置した場合に当該取付面と対向する側に肉取凹部を有していることを特徴とする。
【発明の効果】
【００１６】
請求項１に記載の発明によれば、ボルト挿入孔が貫通形成されたスペーサ部は、ブロック状をなす縦フレーム本体の一部分であり、アンカーボルトの締め付け応力に対処し得る剛性を有している。このため、アンカーボルト用のスリーブを不要にでき、部品点数の減少に貢献できるとともに、スリーブの位置合わせも必要ないことから縦フレームの固定作業を容易にできる。
【００１７】
請求項２に記載の発明によれば、縦フレーム本体は、ボルト挿入孔の貫通方向と直交する水平方向における断面形状が一定であるため、ボルト挿入孔を貫通形成前の縦フレーム本体を前記水平方向（即ち、横方向）への押し出し成形により容易に成形できる。
【００１８】
請求項３に記載の発明によれば、ねじ挿入孔が貫通形成された支持部は、ブロック状をなす縦フレーム本体の一部分であり、固定ねじの締め付け応力に対処し得る剛性を有しているため、アンカーボルト用のスリーブに加え、固定ねじ用のスリーブをも不要にでき、更に部品点数の減少に貢献できる。
【００１９】
請求項４に記載の発明によれば、ねじ挿入孔が支持部から突出形成された凸部に貫通形成されているため、建物側の取付面にアンカーボルトで既に締め付け固定された状態にある縦フレームに対し横フレームを固定ねじで締め付け固定する場合には、当該固定ねじの締め付け作業が行い易くなる。
【００２０】
請求項５に記載の発明によれば、横フレームを支持する部位である支持部の凸部には、ねじ挿入孔が複数箇所に貫通形成されているため、各ねじ挿入孔に挿入した固定ねじを締め付けることにより、横フレームを安定した片持ち支持状態にできると共に、凸部においては、各ねじ挿入孔の形成位置の間が肉取りされているため、その分、材料の節減を図りつつ、軽量化を実現できる。
【００２１】
請求項６に記載の発明によれば、肉取凹部の凹み分だけ縦フレームの形成材料を節減できると共に、建物側の取付面に多少の凸凹がある場合でも、該凸凹を肉取凹部の凹み分で吸収することにより、縦フレームを取付面に対してがたつきなく強固に固定できる。
【発明を実施するための最良の形態】
【００２２】
以下、本発明を、建物の壁面下部における鉛直面をなすコンクリート基礎部を取付面として固定される空気調和機用室外機の据付台に具体化した実施形態を図１〜図４にしたがって説明する。なお、以下の説明において「前後左右方向」を示す場合は、図２における左方を「前方」、右方を「後方」、紙面と直交する方向で手前側を「左方」、その奥側を「右方」として説明するものとする。
【００２３】
図１、図２に示すように本実施形態の据付台１０は、建物側の鉛直な取付面１１に沿って配置固定される縦フレーム１２と、当該縦フレーム１２から水平方向へ片持ち支持される横フレーム１３とを備えている。縦フレーム１２及び横フレーム１３は、アルミニウム又はアルミニウム合金から形成されている。縦フレーム１２は、上下２つのアンカーボルト１４，１５によって取付面１１に締め付け固定されている。一方、横フレーム１３は、上下２つの固定ねじ１６，１７によって縦フレーム１２に締め付け固定されている。そして、これらの各フレーム１２，１３から構成される左右一対の据付台１０が、取付面１１に対して互いに略同じ高さ位置となるように並列に配置固定され、一対の横フレーム１３上に室外機１８が載置されるようになっている。
【００２４】
図３、図４に示すように、縦フレーム１２は、押し出し成形により一体に成形されるブロック状の縦フレーム本体２０を有しており、該縦フレーム本体２０は、取付面１１に対して対向配置された場合に、その一端面（図３では左端面となる前端面）の一部が取付面１１と当接するようになっている。そして、この縦フレーム本体２０は、上方から順に、上側スペーサ部２１と、横フレーム１３を支持する部位となる支持部２２と、下側スペーサ部２３とを含んで構成されている。各スペーサ部（上側スペーサ部２１、下側スペーサ部２３）には、縦フレーム１２を取付面１１に締め付け固定するためのアンカーボルト１４，１５が挿入されるボルト挿入孔２５，２６がそれぞれ貫通形成されている。これら各ボルト挿入孔２５，２６の径は、該各ボルト挿入孔２５，２６に挿入されるアンカーボルト１４，１５の軸部の径より僅かに大きく形成されている。
【００２５】
一方、支持部２２には、縦フレーム１２を取付面１１に沿って配置した場合に当該取付面１１とは反対側となる側（図３では右側となる後側）に、２つの凸部（上側凸部２７、下側凸部２８）が縦フレーム本体２０に沿う縦方向に離間形成されている。各凸部２７，２８には、横フレーム１３を縦フレーム１２に締め付け固定するための固定ねじ１６，１７が挿入されるねじ挿入孔３１，３２が、ボルト挿入孔２５，２６の貫通方向と直交する水平方向へそれぞれ貫通形成されている。これら各ねじ挿入孔３１，３２の径は、該各ねじ挿入孔３１，３２に挿入される固定ねじ１６，１７の軸部の径より僅かに大きく形成されている。さらに、各ねじ挿入孔３１，３２の形成位置の間には、各凸部２７，２８が上下方向に離間形成されることで、凹溝状をなす肉取部３３が形成されている。
【００２６】
また、支持部２２には、縦フレーム１２を取付面１１に沿って配置した場合に当該取付面１１と対向する側（図３では左側）に、肉取凹部３４が凹設されている。なお、前記縦フレーム本体２０の形状寸法は適宜に設定されるが、例えば、縦フレーム本体２０の左右方向（図３では上下方向に相当する。）の幅寸法が４０ｍｍ〜５０ｍｍ程度とされる場合、各スペーサ部２１，２３の前後方向（図２、図３では左右方向に相当する。）の厚み寸法は１０ｍｍ〜１５ｍｍ程度とされる。そして、その場合、各凸部２７，２８の突出寸法（支持部２２の後端面からの突出量）は２０ｍｍ〜３０ｍｍ程度とされる。
【００２７】
ところで、図４からも理解されるように、本実施形態の縦フレーム本体２０は、ボルト挿入孔２５，２６の貫通方向と直交する水平方向における断面形状が一定となっている。このため、縦フレーム本体２０は、まず、ねじ挿入孔３１，３２の貫通成形を含む縦フレーム本体２０の外形を前記水平方向（即ち、横方向）への押し出し成形により成形し、その後、ボルト挿入孔２５，２６を貫通形成することで製造される。
【００２８】
一方、横フレーム１３は、縦断面形状が略コ字形状であって、先端部（図３では左端部）４１ａ，４２ａが縦フレーム１２の凸部２７，２８に外側から当接する左右一対の垂直側板部４１，４２と、室外機１８が載置される載置部４３とを有している。両垂直側板部４１，４２の各先端部４１ａ，４２ａには、縦フレーム１２側の各ねじ挿入孔３１，３２と対応する横フレーム１３側のねじ挿入孔４６，４７が貫通形成されている。
【００２９】
載置部４３は、その上面を、中央に溝４４を有するレール状に形成されており、該溝４４にはゴム材等からなる一対の絶縁・防振部材４５が溝４４内を前後方向にスライド可能に取り付けられている。そして、横フレーム１３に室外機１８が設置される際には、室外機１８の下面に設けられる取付部（図示略）に位置対応するように各絶縁・防振部材４５の離間位置を調整して、これらの２つの絶縁・防振部材４５上に室外機１８が載置されるようになっている。なお、図２に示すように、横フレーム１３の後端開口は、美観上の見地から蓋部材４８により覆われている。
【００３０】
上記のように構成された本実施形態の据付台１０は、次のようにして取付面１１に固定される。
まず、横フレーム１３を、その左右両垂直側板部４１，４２の各先端部４１ａ，４２ａが縦フレーム１２の凸部２７，２８を外側から挟み込むように位置させる。そして、縦フレーム１２側の各ねじ挿入孔３１，３２と横フレーム１３側の各ねじ挿入孔４６，４７とを位置合わせする。すると、縦フレーム１２と横フレーム１３とが直交状態となり、縦フレーム１２側及び横フレーム１３側の各ねじ挿入孔３１（３２），４６，４７が同軸配置の状態となる。
【００３１】
そして次に、その状態において、横フレーム１３における一方（図３においては下側となる左側）の垂直側板部４１の先端部４１ａに形成されたねじ挿入孔４７から固定ねじ１６，１７を挿入し、他方（図３においては上側となる右側）の垂直側板部４２の先端部４２ａに形成されたねじ挿入孔４６から突出させる。そして、その突出した固定ねじ１６，１７の先端にナット３５を嵌め込むことで横フレーム１３を縦フレーム１２に固定する。
【００３２】
横フレーム１３を縦フレーム１２に固定して一体とした後は、建物側の取付面１１に縦フレーム１２をアンカーボルト１４，１５により締め付け固定する。すなわち、縦フレーム１２における各スペーサ部２１，２３のボルト挿入孔２５，２６を取付面１１側のボルト穴（図示略）に位置合わせすると共に、各スペーサ部２１，２３の各前端（図２、図３では左端）を取付面１１に当接させ、その状態においてボルト挿入孔２５，２６に挿入したアンカーボルト１４，１５を締め付け固定のために螺進させる。すると、横フレーム１３を水平方向へ片持ち支持してなる縦フレーム１２が取付面１１に対してアンカーボルト１４，１５を介して強固に固定され、これにより据付台１０の固定作業が終了となる。
【００３３】
以上、本実施形態の据付台１０の構造及び取付面１１への固定手順について説明したが、次に、この据付台１０の作用について説明する。
上記したように、縦フレーム１２は、各スペーサ部２１，２３に形成された上下２つのボルト挿入孔２５，２６からアンカーボルト１４，１５が挿入されて螺合方向へ回動されることで取付面１１に固定される。この際、アンカーボルト１４，１５の頭部が、各スペーサ部２１，２３に形成されたボルト挿入孔２５，２６の近傍部位３８（図３参照）を取付面１１側へ押圧する。ここで、縦フレーム１２は、スチール等と比較すると剛性の低いアルミニウム又はアルミニウム合金で構成されているため、局所的な押圧力を受けると押圧方向へ撓んでしまうことが懸念される。特に、縦フレーム本体２０が仮に薄いプレート状の部材であればなおさら顕著にその撓みが生じることになる。
【００３４】
しかし、本実施形態では、所定の厚み（本実施形態では１０ｍｍ〜１５ｍｍ）を有する肉厚なブロック形状の各スペーサ部２１，２３にボルト挿入孔２５，２６が貫通形成されている。そして、それら各スペーサ部２１，２３が対面する取付面１１に当接する構成とされているため、アンカーボルト１４，１５の締め付け応力を肉厚に形成された近傍部位３８で受けることになる。すなわち、縦フレーム１２の各スペーサ部２１，２３（特に、ボルト挿入孔２６の近傍部位３８）においては、アンカーボルト１４，１５の締め付け応力に対処しうる剛性を有しているため、縦フレーム１２の変形が抑制される。さらに換言すれば、ボルト挿入孔２５，２６の周縁部３９（図３参照）が、縦フレーム１２の変形を抑制するために通常であればアンカーボルト１４，１５の外周部位に嵌め込まれるスリーブとしての役割を果していると言える。
【００３５】
さらに、ボルト挿入孔２５，２６の径は、該ボルト挿入孔２５，２６に挿入されるアンカーボルト１４，１５の軸部の径より僅かに大きく形成されているため、挿入されたアンカーボルト１４，１５は３６０度各方向に極力ガタつくことなく、あたかもボルト挿入孔２５，２６の内周面にガイドされるようにして取付面１１まで挿入されることになる。なお、この作用は、固定ねじ１６，１７とねじ挿入孔３１，３２との関係においても同様である。
【００３６】
また、横フレーム１３を縦フレーム１２に締め付け固定する際には、上記各スペーサ部２１，２３と同様の作用により、凸部２７，２８によって固定ねじ１６，１７（ナット３５）の締め付け応力を肉厚（本実施形態では４０ｍｍ〜５０ｍｍ）に形成された凸部２７，２８が左右方向において受けることになる。これにより、縦フレーム１２の凸部２７，２８及び横フレーム１３の垂直側板部４１，４２（特に先端部４１ａ，４２ａ）の変形が抑制されるようになっている。
【００３７】
上記実施形態の空気調和機用室外機１８の据付台１０によれば、以下のような効果を得ることができる。
（１）上記実施形態では、ボルト挿入孔２５，２６が貫通形成された各スペーサ部２１，２３は、ブロック状をなす縦フレーム本体２０の一部分であり、アンカーボルト１４，１５の締め付け応力に対処し得る剛性を有しているため、アンカーボルト１４，１５用のスリーブを不要にでき、部品点数の減少に貢献できる。そして、締め付け作業時の煩雑なスリーブの取り付け作業が不要となり、作業を容易にできる。
【００３８】
（２）上記実施形態では、縦フレーム本体２０は、ボルト挿入孔２５，２６の貫通方向と直交する水平方向における断面形状が一定であるため、ボルト挿入孔２５，２６及びねじ挿入孔３１，３２を貫通形成前の縦フレーム本体２０を前記水平方向（即ち、横方向）への押し出し成形により容易に成形できる。
【００３９】
（３）上記実施形態では、ねじ挿入孔３１，３２が貫通形成された凸部２７，２８は、上記各スペーサ部２１，２３と同様に、ブロック状をなす縦フレーム本体２０の一部分であり、固定ねじ１６，１７（ナット３５）の締め付け応力に対処し得る剛性を有している。このため、アンカーボルト１４，１５用のスリーブに加え、固定ねじ１６，１７用のスリーブをも不要にでき、更に部品点数の減少に貢献できる。そして、締め付け作業時の面倒なスリーブの位置決め作業が不要となり、さらに作業を容易にできる。
【００４０】
（４）さらに、ねじ挿入孔３１，３２は支持部２２の後端面（図２，図３では右端面）より後方へ突出した凸部２７，２８に形成されているため、縦フレーム１２に対し横フレーム１３を固定ねじ１６，１７で締め付け固定する作業を行い易くできる。なお、上記実施形態では、まず横フレーム１３を縦フレーム１２に固定して一体化した後に、縦フレーム１２を取付面１１に締め付け固定するものとしたが、逆に、建物側の取付面１１に既に締め付け固定された状態にある縦フレーム１２に対し横フレーム１３を締め付け固定しても良い。特に、この順序で組み付ける場合には、横フレーム１３を締め付け固定する際の締め付け位置が、前記凸部２７，２８の略突出量相当分だけ取付面１１から離間することになるため、より作業を行い易くできる。
【００４１】
（５）上記実施形態では、２つのねじ挿入孔３１，３２を貫通形成した各凸部２７，２８の間が凹溝状をなす肉取部３３とされているため、その肉取部３３の凹み分、縦フレーム１２（縦フレーム本体２０）の材料の節減を図りつつ、軽量化を実現できる。
【００４２】
（６）また、支持部２２には、取付面１１と対向する側（図２では左側となる前側）に肉取凹部３４が凹設されているため、この凹み分だけ縦フレーム１２（縦フレーム本体２０）の形成材料をさらに節減できる。更には、建物側の取付面１１に多少の凸凹がある場合でも、該凸凹を肉取凹部３４の凹み分で吸収することにより、縦フレーム１２（縦フレーム本体２０）を取付面１１に対してがたつきなく強固に固定できる。
【００４３】
なお、上記実施形態は以下のように変更してもよい。
・上記実施形態において、支持部２２には肉取部３３及び肉取凹部３４を形成せずともよい。肉取部３３を形成しない場合、支持部２２には前記各ねじ挿入孔３１，３２を上下方向に離間させて貫通形成した凸部が一つ形成されることになる。
【００４４】
・上記実施形態では、凸部２７，２８を縦フレーム本体２０に沿う縦方向に一対離間形成したが、一対でなく３つ以上の複数箇所に設ける構成としてもよい。
・上記実施形態では、ねじ挿入孔３１，３２は、支持部２２から突出形成される凸部２７，２８に貫通形成されるものとしたが、凸部２７，２８を設けずに、略直方体形状の縦フレーム本体に直接貫通形成するように構成してもよい。この場合は、縦フレーム本体の形状が単純になるため、押し出し成形による成形がさらに容易となる。
【００４５】
・上記実施形態では、縦フレーム本体２０は、押し出し成形により成形されるものとしたが、その他の成形方法により成形してもよい。例えば、ダイカスト成形等の鋳造方式によって成形することができる。ダイカスト成形による場合には、押し出し成形の場合とは異なり、次のような効果がある。すなわち、縦フレーム本体２０の強度に余り影響しない隅角部の肉を更にそぎ落とした形状に成形することで、縦フレーム１２（縦フレーム本体２０）の形成材料をさらに節減できる。更には、支持部２２及びスペーサ部２１，２３における取付面１１と対向する側の面（図２では左端面）に肉取り効果の高い凹み部を抉り形成されたように同時成形することも可能となり、更なる材料節減効果と共に生産効率の向上効果をも享受することができる。
【００４６】
・上記実施形態では、建物の壁面のコンクリート基礎部に取り付けられる据付台１０として説明したが、建物の壁面自体に取り付けてもよいし、その取付面１１は鉛直面に限られたものでもない。例えば、取付面１１が斜面であれば、上記縦フレーム１２はその斜面に平行に取り付けられることになり、その縦フレーム１２に対して横フレーム１３が水平方向へ片持ち支持状態に固定されることになる。
【図面の簡単な説明】
【００４７】
【図１】本実施形態の空気調和機用室外機の据付台の使用態様を示す全体斜視図。
【図２】空気調和機用室外機の据付台の側面図。
【図３】図２におけるＡ−Ａ線矢視断面図。
【図４】縦フレームの斜視図。
【符号の説明】
【００４８】
１０…据付台、１１…取付面、１２…縦フレーム、１３…横フレーム、１４，１５…アンカーボルト、１６，１７…固定ねじ、１８…空気調和機用室外機、２０…縦フレーム本体、２１…上側スペーサ部、２２…支持部、２３…下側スペーサ部、２５，２６…ボルト挿入孔、２７，２８…凸部、３１，３２…ねじ挿入孔、３３…肉取部、３４…肉取凹部、３５…ナット、３８…近傍部位、３９…周縁部、４１，４２…垂直側板部、４３…載置部。
【図１】
2006145164.tif 000003
【図２】
2006145164.tif 000004
【図３】
2006145164.tif 000005
【図４】
2006145164.tif 000006